(57)【要約】【課題】  シャツの襟を確実に整形及び形状維持することができ、且つ構造が簡単でシャツを容易、短時間に折り畳んでその折り畳み形状を維持することができる、シャツの折り畳み形状維持台紙である。【解決手段】  台紙１を襟整形帯部９および背当て部３に保持板部５を連設した台紙本体２とで構成し、シャツの襟の内側に通す襟整形帯部９で襟の形状を保持し、背当て部３をシャツの折り畳み型としてシャツを折り畳み、その折り畳んだシャツの袖の上端部を背当て部３に設けた押さえ片７で押え、保持板部５をシャツに重ねてその両端部５ａをシャツと折り畳みによってシャツの内側に位置した裾部との間に挿入し、背当て部に設けた差込片を襟と内側の襟整形部材との間の隙間に差し込んで、襟整形部材と台紙本体とを連結する。【選択図】  図１
2008222264.tif 000002
【特許請求の範囲】
【請求項１】
シャツの折り畳み型となる台紙本体と、前記台紙本体と別体の襟整形部材とからなる、シャツの折り畳み形状を維持するための台紙であって、
前記襟整形部材は、シャツの襟内側に通される左右方向に長手の帯材からなり、
前記台紙本体は、シャツの後身頃の上部に当てられる上下に長手の略長方形状の背当て部と、該背当て部の上端に首部を介して連設された、該首部を基点として前記台紙本体の背面側に折り返えされるとともに、左右両端部がさらに幅方向内側に折り返される左右に長手の保持板部とを備え、前記背当て部は、該背当て部の上部に切込みを入れることによって形成された、上端を基点として折り曲げることによって背当て部から直角に突出される差込片と、該差込片の下方に切込みを入れることによって形成された、上端を起点として開く押さえ片とを備え、
前記襟整形部材を襟の内側に通して、シャツの第１ボタンが締められることによって、襟整形部材で襟をシャツの前身頃に対し立てた湾曲形状に整える一方、
前記台紙本体をシャツの背面側に位置させて、前記背当て部をシャツの後身頃の上部に当て、シャツを背当て部の左右の辺部に沿って幅方向に背当て部の背面側に折り返すとともに、背当て部の背面側に位置した左右の袖を折り畳んで、折り畳んだ袖の上端部を前記押さえ片で挟んで押さえた後、
前記シャツの幅方向に折り返された裾部を丈方向に折り返し、該裾部を折り返したシャツを背当て部の下辺部に沿って丈方向に２つ折りにして、裾部が内側になったシャツの折り返し上端を背当て部の上端に位置させるとともに、台紙本体の保持板部を首部で折り返してシャツ上に重ね、その保持板部の左右両端部を幅方向内側に折り返してシャツと裾部との間に挿入することによりシャツを台紙本体に固定し、さらに背当て部に対し直角に突出させた差込片をシャツの襟とその内側の襟整形部材との間の隙間のうちの一方に差し込むことによって襟整形部材と台紙本体とを連結することを特徴とするシャツ折り畳み形状維持台紙。
【請求項２】
前記台紙本体に差込片を設ける代わりに前記襟整形部材に面一に突出する差込片を設け、台紙本体の背当て部に保持板部を連設する首部に前記背当て部と平行な面に位置する溝穴を設けて、前記背当て部に直角な姿勢で前記差込片を前記溝穴に挿入することによって襟整形部材と台紙本体とを連結することを特徴とする請求項１記載のシャツ折り畳み形状維持台紙。
【請求項３】
前記台紙本体の全体および襟整形部材が紙製であることを特徴とする請求項１または２記載のシャツ折り畳み形状維持台紙。
【請求項４】
前記襟整形部材をシート状の紙と波板状の紙とを貼り合わせた複合材で形成したことを特徴とする請求項１〜３のいずれかの項に記載のシャツ折り畳み形状維持台紙。
【請求項５】
前記襟整形部材の左右両端部を該襟整形部材の２倍の幅とし、該左右両端部を幅方向に２つ折りに重ね合わせた２重構造にして使用することを特徴とする請求項１〜４のいずれかの項に記載のシャツ折り畳み形状維持台紙。
【発明の詳細な説明】
【技術分野】
【０００１】
本発明は、シャツを折り畳んで、シャツの折り畳み形状を維持するための台紙に関する。
【背景技術】
【０００２】
従来、シャツを折り畳み、その折り畳んだ状態でシャツの形状を維持するための台紙が知られ、種々のものが提案されている。
【０００３】
本出願人は、乳幼児による誤飲の事故を生じる虞のある蝶型片のような小型の部材が不要で、シャツの襟を確実に整形及び形状維持することができ、台紙自体の差し込みおよび係止といった作業が不要で、簡単且つ短時間にシャツを折り畳んで折り畳み形状を維持することできるシャツ折り畳み形状維持台紙を先頃提案した（例えば特許文献１を参照）。
【０００４】
この提案の台紙は、四角枠状の台紙本体と、これと別体の左右方向に長手の襟整形部材とを備え、台紙本体の上辺部に襟整形部材を連結するための上方向の突き出しを連設し、上辺部の下方に上端を基点に開く挟込部を設け、挟込部内の上部に左右に開く１対の裾固定部を設け、挟込部内の裾固定部の下側に上端を基点に開くとともに切欠き穴が形成された肩固定部を設けた構造を有する。
【特許文献１】特開２００６-３０６４６６号公報
【発明の開示】
【発明が解決しようとする課題】
【０００５】
上記提案の台紙によれば、蝶型片のような小型の部材を要することなく、シャツの襟を確実に整形及び形状維持でき、台紙自体の差し込み及び係止といった作業を要することなく、簡単且つ短時間にシャツを折り畳んで折り畳み形状維持をすることができる等の利点がある。
【０００６】
しかしながら、上記提案のシャツ折り畳み形状維持台紙は、台紙本体の上辺部に襟整形部材との連結用の突き出しを設けるのはともかく、台紙本体の上辺部の下方に上端を基点に開く挟込部を設け、その挟込部内に左右に開く１対の裾固定部と、上端を基点に開く切欠き穴を有する肩固定部とを設けた複雑な構造をとっており、シャツ折り畳み形状維持台紙はなお改良する余地があった。
【０００７】
本発明の課題は、上記の問題点に鑑み、シャツの襟を確実に整形及び形状維持することができ、且つ構造が簡単でシャツを容易、短時間に折り畳んでその折り畳み形状を維持することができる、シャツの折り畳み形状維持台紙を提供することである。
【課題を解決するための手段】
【０００８】
上記課題を解決するために、本発明は、シャツの折り畳み型となる台紙本体と、前記台紙本体と別体の襟整形部材とからなる、シャツの折り畳み形状を維持するための台紙であって、前記襟整形部材は、シャツの襟内側に通される左右方向に長手の帯材からなり、前記台紙本体は、シャツの後身頃の上部に当てられる上下に長手の略長方形状の背当て部と、該背当て部の上端に首部を介して連設された、該首部を基点として前記台紙本体の背面側に折り返えされるとともに、左右両端部がさらに幅方向内側に折り返される左右に長手の保持板部とを備え、前記背当て部は、該背当て部の上部に切込みを入れることによって形成された、上端を基点として折り曲げることによって背当て部から直角に突出される差込片と、該差込片の下方に切込みを入れることによって形成された、上端を起点として開く押さえ片とを備え、前記襟整形部材を襟の内側に通して、シャツの第１ボタンが締められることによって、襟整形部材で襟をシャツの前身頃に対し立てた湾曲形状に整える一方、前記台紙本体をシャツの背面側に位置させて、前記背当て部をシャツの後身頃の上部に当て、シャツを背当て部の左右の辺部に沿って幅方向に背当て部の背面側に折り返すとともに、背当て部の背面側に位置した左右の袖を折り畳んで、折り畳んだ袖の上端部を前記押さえ片で挟んで押さえた後、前記シャツの幅方向に折り返された裾部を丈方向に折り返し、該裾部を折り返したシャツを背当て部の下辺部に沿って丈方向に２つ折りにして、裾部が内側になったシャツの折り返し上端を背当て部の上端に位置させるとともに、台紙本体の保持板部を首部で折り返してシャツ上に重ね、その保持板部の左右両端部を幅方向内側に折り返してシャツと裾部との間に挿入することによりシャツを台紙本体に固定し、さらに背当て部に対し直角に突出させた差込片をシャツの襟とその内側の襟整形部材との間の隙間のうちの一方に差し込むことによって襟整形部材と台紙本体とを連結ことを特徴とする。
【０００９】
本発明によれば、前記台紙本体に差込片を設ける代わりに前記襟整形部材に台紙本体方向に突出する差込片を設け、台紙本体に保持板部を連設する首部に前記差込片に対向する溝穴を設けて、該差込片を溝穴に挿入することによって襟整形部材と台紙本体とを連結するようにすることができる。前記台紙本体の全体および襟整形部材を紙製とすることができる。前記襟整形部材をシート状の紙と波板状の紙とを貼り合わせた複合材で形成することができる。前記襟整形部材の左右両端部を該襟整形部材の２倍の幅とし、該左右両端部を幅方向に２つ折りに重ね合わせた２重構造にして使用するようにすることができる。
【発明の効果】
【００１０】
本発明によれば、台紙を襟整形部材と背当て部に保持板部を連設した台紙本体とで構成し、シャツの襟の内側に通す襟整形部材で襟の形状を保持する一方、台紙本体の背当て部をシャツの折り畳み型としてシャツを折り畳み、その折り畳んだシャツの袖の上端部を背当て部に設けた押え片で押さえ、折り畳んだシャツに台紙本体の保持板部を重ね、保持板部の両端部をシャツと折り畳みによってシャツの内側に位置した裾部との間に挿入してシャツを台紙本体に固定し、背当て部に設けた差込片を襟と内側の襟整形部材との間の隙間に差し込んで、襟整形部材と台紙本体とを連結するようにしたので、シャツを容易に折り畳むとともに、襟および折り畳んだシャツの形状を確実に保持することができ、台紙の構成も簡単である。
【発明を実施するための最良の形態】
【００１１】
以下、本発明を図示の実施の形態に基づいて説明する。図１は、本発明のシャツ折り畳み形状維持台紙の一実施形態を示す平面図であり、本実施形態は、ワイシャツに適用した場合を示す。
【００１２】
本実施形態のシャツ折り畳み形状維持台紙１は、図１に示すように、台紙本体２と、襟整形部材９の二部材からなり、それぞれボール紙で形成されている。台紙本体２は、図２に示すように、ワイシャツ１０の背面側に適用して、ワイシャツ１０の折り畳み型とするものである。襟整形部材９は、ワイシャツ１０の襟１１の内側に通し、襟１１を湾曲形状に整形するためのものである。
【００１３】
襟整形部材９は、左右方向に長手の帯材からなり、襟１１の周長と略同一の長さと、襟１１の幅と略同一の幅を有する。好ましくは、ワイシャツ１０の前面に位置した襟１１の合せ部を襟整形部材９の腰の強い左右両端部９ａで堅固に形状維持できるよう、左右両端部９ａの幅を２倍として幅方向に２つ折りに重ね合わせた２重構造に形成するとよい。左右両端部９ａには、幅方向中央部で２つ折りにし易いように、幅方向中央部に長手方向に沿ったスリット９ｂあるいはエンボスを入れることができる。
【００１４】
台紙本体２は、ワイシャツ１０の後身頃１０ａの上部に当てられる上下に長手の長方形状の背当て部３と、背当て部３の上端部に首部４を介して連設された左右に長手の保持板部５とを備える。背当て部３に保持板部５を連設する首部４には、上部に水平方向に間隔を開けた２本のスリット４ａが、下部に水平方向に大きな間隔を開けたエンボスによる２本の折れ線部４ｂが設けられており、保持板部５は、スリット４ａ、折れ線部４ｂにより首部４を基点として台紙本体２の背面側に折り返えせるようになっている。また保持板部５の左右両端部５ａには、エンボスによる縦方向の折れ線部５ｂが設けられており、左右両端部５ａが折れ線部５ｂより幅方向内側に折り返せるようになっている。
【００１５】
背当て部３は、幅がワイシャツ１０の幅の約２分の１強、長さがワイシャツ１０の丈の約２分の１弱の寸法の略長方形の形状を有し、背当て部３の左右上辺はワイシャツ１０の左右上辺に沿った傾斜を有している。この背当て部３の上部には、切込みを入れることによって差込片６とその下方の押さえ片７とが設けられている。差込片６を形成する切込みの上端は、首部４の折れ線部４ｂ同士の間まで達しており、差込片６は首部４の折れ線部４ｂにより上端を基点として折り曲げることによって、背当て部から直角に突出されるようになっている。差込片６は、ワイシャツ１０の襟１１とこれに通した襟整形部材９との間の隙間に挿入するためのもので、襟１１の湾曲に沿って曲がり易いように、差込片６に縦方向のスリット６ａを水平方向に間隔を開けて設けている。押え片７は、上端を基点として開くことによって、折り畳んだワイシャツ１０の袖１０ｄの上端部を押えるためのもので（図５参照）、開いた押え片７が袖１０の上端部を弾性的に保持できるように、押え片７の上端には切り込み等の何らの折れ曲がり部を設けていない。
【００１６】
なお、図１において、符号８はワイシャツ１０の幅方向中心位置を合わせるための背当て部３および保持板部５に設けたマークで、背当て部３の下辺部には上向き三角形の小さな切欠きで、保持板部５の上端部には下向きの三角形の小さな切欠きでそれぞれ位置合わせマーク８が設けてある。
【００１７】
本台紙１を用いてワイシャツ１０を折り畳んで、折り畳み形状を維持するためには、先ず、図２に示すように、襟整形帯部９を緩く丸めてワイシャツ１０の襟１１の内側に通し、ワイシャツ１０の襟１１の箇所に位置する第１ボタン１２を締めることによって、図３に示すように、襟整形帯部３により襟１１がワイシャツ１０の前身頃１０ｂに対し立てた湾曲形状に整えられる。なお、ワイシャツ１０のボタンは、折り畳むに先立って襟１１の第１ボタンを除いて全て締めてある。
【００１８】
一方、台紙本体２は、保持板部５を上に向けた姿勢でワイシャツ１０の背面側に位置させ、台紙本体２の背当て部３をワイシャツ１０の後身頃１０ａの上部にマーク８によって中心位置を合わせて当てる。そして、図４、５に示すように、ワイシャツ１０の左右の一方の側、例えば左側を背当て部３の左の辺部に沿って幅方向に背当て部３の背面側に折り返し、背当て部３の背面側に位置した左の袖１０ｃを背当て部３上で折り畳み、同様に、ワイシャツ１０の他方の側の右側を背当て部３の右の辺部に沿って幅方向に背当て部３の背面側に折り返し、背当て部３の背面側に位置した左の袖１０ｄを背当て部３上で折り畳む。左の袖１０ｄの袖口１０ｄ１は、意匠性を高めるためにワイシャツ１０の前身頃３ｂの側に折り返す（図８（ａ）参照）。そして折り畳んだ袖１０ｃ、１０ｄの上端部を押さえ片７で挟むことによって押さえる。
【００１９】
つぎに先の図５に示すように、折り畳まれたワイシャツ１０の裾部１０ｅを仮想線１０ｆで示す位置で丈方向に折り返し、つまり裾部１０ｅを丈方向に折り返した後のワイシャツ１０の丈が背当て部３の略２倍の長さとなる位置で裾部１０ｅを折り返す。ついで裾部１０ｅを折り返したワイシャツ１０を背当て部３の下辺部に沿って丈方向に２つ折りにして、図６に示すように、裾部１０ｅが内側になったワイシャツ１０の折り返し上端１０ｅ１を背当て部３の上端に位置させる。そして台紙本体２の保持板部５を首部４で背面側に折り返してシャツ１０の上に重ねるとともに、保持板部５の両端部５ａを幅方向内側に折り返して、シャツ１０と裾部１０ｅとの間に挿入する。これにより、保持板部５でワイシャツ１０が台紙本体２に固定される。
【００２０】
また一方で、背当て部３から差込片６を直角に突出させて、差込片６をシャツ１０の襟１１内の襟整形部材９と襟１１との間の隙間のうち外側の隙間１３に差し込んで、襟整形部材９を台紙本体２に連結する。これにより、襟１１を含むワイシャツ１０の全体の台紙１への固定がより堅固になる。かくして、図８（ａ）、（ｂ）に示すように、折り畳んだワイシャツ１０の全体の折り畳み形状が台紙１に保持される。
【００２１】
以上では、台紙１は、台紙本体２および襟整形部材９の全体をボール紙で作製しているが、本発明はこれに限定されるわけではなく、腰のあるシートであれば材料を問わない。また襟整形部材９は、図９に示すように、シート状の紙１４ａと波板状の紙１４ｂとを貼り合わせた複合材１４で形成することができる。このような複合材１４で襟整形部材９を形成すれば、襟整形部材９に弾性を持たせるとともに、襟１１の内側に通した襟整形部材９の滑りを防止することができる。
【００２２】
図１０は、本発明の他の実施形態を示す平面図である。本実施形態では、シャツ折り畳み形状維持台紙１の本体２の背当て部３に差込片６を設ける代わりに、襟整形部材９に面一に突出する差込片１５を設け、台紙本体２の背当て部３に保持板部５を連設する首部４の下端に背当て部３と平行な面に位置する溝穴１６を設けて、保持板部５を前記のように折り返し、図１１に示すように、差込片１５を背当て部３に直角な姿勢で溝穴１６に挿入する。これによっても、襟整形部材９と台紙本体２とを連結して、襟１１を含むワイシャツ１０の全体を台紙１により堅固に固定することができる。
【００２３】
以上、本発明の実施形態を説明したが、本発明は実施形態のものに限定されるものではなく、必要に応じて種々の変更を施すことができる。
【図面の簡単な説明】
【００２４】
【図１】本発明のシャツ折り畳み形状維持台紙の一実施の形態を示す平面図である。
【図２】図１の台紙を用いてワイシャツを折り畳む工程を示す図で、台紙の襟整形部材および台紙本体をワイシャツに適用するところを示す説明図である。
【図３】襟整形帯部で形状成形された襟を示す斜視図である。
【図４】図２の工程の続きを示す図で、台紙本体の背当て部に沿ってワイシャツの左側を幅方向に折り畳んだところを示す説明図である。
【図５】図３の工程の続きを示す図で、台紙本体の背当て部に沿ってワイシャツの左側を幅方向に折り畳んだところを示す説明図である。
【図６】図５の工程の続きを示す図で、裾部を折り返したワイシャツを丈方向に２つ折りにしたところを示す説明図である。
【図７】図６の工程の続きを示す図で、台紙本体の保持板部を折り返してワイシャツに重ね、その保持板部の両端部をワイシャツと内側の裾部との間の隙間に差し込んでワイシャツを固定するところを示す説明図である。
【図８】図１の台紙によって折り畳み形状が保持されたワイシャツを示す図で、正面側から見た平面図（ａ）および背面側から見た平面図（ｂ）である。
【図９】襟整形部材を形成する素材の変形例を示す断面図である。
【図１０】本発明のシャツ折り畳み形状維持台紙の他の実施形態を示す平面図である。
【図１１】図１０の台紙における襟整形部材と台紙本体との連結法を示す斜視図である。
【符号の説明】
【００２５】
１      台紙                          ２    台紙本体
３      背当て部                      ４    首部
５      保持板部                      ６    差込片
７      押え片                        ９    襟整形部材
１０    ワイシャツ                    １０ａ  後身頃
１０ｂ  前身頃                        １１  襟
１２    第１ボタン                    １３  隙間
１４    複合材                        １５  差込片
１６    溝穴
【図１】
2008222264.tif 000003
【図２】
2008222264.tif 000004
【図３】
2008222264.tif 000005
【図４】
2008222264.tif 000006
【図５】
2008222264.tif 000007
【図６】
2008222264.tif 000008
【図７】
2008222264.tif 000009
【図８】
2008222264.tif 000010
【図９】
2008222264.tif 000011
【図１０】
2008222264.tif 000012
【図１１】
2008222264.tif 000013